(57)【要約】【課題】防滑性能に優れたゴルフシューズの提供。【解決手段】ゴルフシューズの軸足用靴は、下記数式（１）及び（２）を満たす。蹴足用靴は、下記数式（３）及び（４）を満たす。    Ａｃ ＞ Ａｉ    （１）    Ａｃ ＞ Ａｏ    （２）    Ｂｃ ＞ Ｂｉ    （３）    Ｂｃ ＞ Ｂｏ    （４）Ａｉはインサイドゾーンに存在し爪先側内角が９０°以上である突起のこの爪先側内角の平均値であり、Ａｃはセンターゾーンに存在し爪先側内角が９０°以上である突起のこの爪先側内角の平均値であり、Ａｏはアウトサイドゾーンに存在し爪先側内角が９０°以上である突起の爪先側内角の平均値であり、Ｂｉはインサイドゾーンに存在し踵側内角が９０°以上である突起のこの踵側内角の平均値であり、Ｂｃはセンターゾーンに存在し踵側内角が９０°以上である突起のこの踵側内角の平均値であり、Ｂｏはアウトサイドゾーンに存在し踵側内角が９０°以上である突起のこの踵側内角の平均値である。【選択図】図４
2011072330.tif 000002
【特許請求の範囲】
【請求項１】
（Ｉ）ベースと、このベースから突出する多数の突起とを有するアウトソールを備えてお  り、下記数式（１）及び（２）を満たす軸足用靴
及び
（II）ベースと、このベースから突出する多数の突起とを有するアウトソールを備えてお  り、下記数式（３）及び（４）を満たす蹴足用靴
からなるゴルフシューズ。
Ａｃ ＞ Ａｉ    （１）
Ａｃ ＞ Ａｏ    （２）
Ｂｃ ＞ Ｂｉ    （３）
Ｂｃ ＞ Ｂｏ    （４）
（これら数式において、Ａｉはインサイドゾーンに存在し爪先側内角が９０°以上である突起のこの爪先側内角の平均値であり、Ａｃはセンターゾーンに存在し爪先側内角が９０°以上である突起のこの爪先側内角の平均値であり、Ａｏはアウトサイドゾーンに存在し爪先側内角が９０°以上である突起の爪先側内角の平均値であり、Ｂｉはインサイドゾーンに存在し踵側内角が９０°以上である突起のこの踵側内角の平均値であり、Ｂｃはセンターゾーンに存在し踵側内角が９０°以上である突起のこの踵側内角の平均値であり、Ｂｏはアウトサイドゾーンに存在し踵側内角が９０°以上である突起のこの踵側内角の平均値である。上記アウトソールの底面の輪郭に画かれうる最長線の長さが長さＬとされ、上記輪郭のインサイド端を通過し上記最長線と平行である直線がインサイド基準線とされ、上記輪郭のアウトサイド端を通過し上記最長線と平行である直線がアウトサイド基準線とされ、上記インサイド基準線とアウトサイド基準線との距離が幅Ｗとされ、上記インサイド基準線からの距離がＷ／３であり最長線と平行な直線が第一区画線とされ、上記アウトサイド基準線からの距離がＷ／３であり最長線と平行な直線が第二区画線とされ、上記最長線の爪先側端からの距離が０．１０Ｌである最長線上の点を通過し上記最長線と直交する直線が第三区画線とされ、上記最長線の爪先側端からの距離が０．４０Ｌである最長線上の点を通過し上記最長線と直交する直線が第四区画線とされたとき、インサイド基準線と第一区画線と第三区画線と第四区画線とに囲まれているのがインサイドゾーンであり、第一区画線と第二区画線と第三区画線と第四区画線とに囲まれているのがセンターゾーンであり、第二区画線とアウトサイド基準線と第三区画線と第四区画線とに囲まれているのがアウトサイドゾーンである。）
【請求項２】
上記平均値Ａｉ及び平均値Ａｏが９０°以上１２０°以下であり、上記平均値Ａｃが１００°以上１３０°以下である請求項１に記載のゴルフシューズ。
【請求項３】
上記平均値Ｂｉ及び平均値Ｂｏが９０°以上１２０°以下であり、上記平均値Ｂｃが１００°以上１３０°以下である請求項１又は２に記載のゴルフシューズ。
【請求項４】
差（Ａｃ − Ａｉ）が５°以上であり、差（Ａｃ − Ａｏ）が５°以上である請求項１から３のいずれかに記載のゴルフシューズ。
【請求項５】
差（Ｂｃ − Ｂｉ）が５°以上であり、差（Ｂｃ − Ｂｏ）が５°以上である請求項１から４のいずれかに記載のゴルフシューズ。
【請求項６】
上記軸足用靴が下記数式（５）から（７）を満たす請求項１から４のいずれかに記載のゴルフシューズ。
（Ｎ２ ／ Ｎ１） ≧ ０．５      （５）
（Ｎ４ ／ Ｎ３） ≧ ０．５      （６）
（Ｎ６ ／ Ｎ５） ≧ ０．５      （７）
（これら数式において、Ｎ１はインサイドゾーンに存在する突起の総数であり、Ｎ２はインサイドゾーンに存在しかつ爪先側内角αｉが９０°以上である突起の数であり、Ｎ３はセンターゾーンに存在する突起の総数であり、Ｎ４はセンターゾーンに存在しかつ爪先側内角αｃが９０°以上である突起の数であり、Ｎ５はアウトサイドゾーンに存在する突起の総数であり、Ｎ６はアウトサイドゾーンに存在しかつ爪先側内角αｏが９０°以上である突起の数である。）
【請求項７】
上記蹴足用靴が下記数式（８）から（１０）を満たす請求項１から４のいずれかに記載のゴルフシューズ。
（Ｎ８ ／ Ｎ７） ≧ ０．５      （８）
（Ｎ１０ ／ Ｎ９） ≧ ０．５      （９）
（Ｎ１２ ／ Ｎ１１） ≧ ０．５      （１０）
（これら数式において、Ｎ７はアウトサイドゾーンに存在する突起の総数であり、Ｎ８はアウトサイドゾーンに存在しかつ踵側内角βｏが９０°以上である突起の数であり、Ｎ９はセンターゾーンに存在する突起の総数であり、Ｎ１０はセンターゾーンに存在しかつ踵側内角βｃが９０°以上である突起の数であり、Ｎ１１はインサイドゾーンに存在する突起の総数であり、Ｎ１２はインサイドゾーンに存在しかつ踵側内角βｉが９０°以上である突起の数である。）
【発明の詳細な説明】
【技術分野】
【０００１】
本発明は、ゴルフシューズに関する。詳細には、本発明は、ゴルフシューズのアウトソールの改良に関する。
【背景技術】
【０００２】
ゴルファーがゴルフボールを打撃するとき、左右の爪先を結ぶ線が打撃方向とほぼ平行となるようにアドレスする。右利きのゴルファーのアドレスでは、左足が打撃方向前側に位置し、右足が打撃方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップ位置である。トップ位置からダウンスイングが開始されてヘッドが振り下ろされ、ヘッドがゴルフボールと衝突する（インパクト）。インパクト後、ゴルファーはゴルフクラブを前方へ、次いで上方へと振り抜き（フォロースルー）、フィニッシュを迎える。
【０００３】
トップ位置からフィニッシュにかけて、ゴルファーの両足には大きな力がかかる。この力によって、ゴルフシューズが地面とスリップを起こすことがある。スリップが起こると、スイングフォームが乱れてミスショットが発生する。特に、トップ位置からインパクトにかけて、スリップが生じやすい。
【０００４】
底面に金属又はセラミクスからなるスパイクピンを備えたゴルフシューズが存在する。スパイクピンは、スリップを防止する。しかし、このゴルフシューズでは、スパイクピンがグリーン上の芝生、クラブハウスの床、ゴルフコース中に設けられた歩行用通路の路面等を傷める。スパイクピンを備えたゴルフシューズの使用を禁止しているゴルフ場が多い。スパイクピンを備えたゴルフシューズでは下からの突き上げ感があり、ゴルファーにとって履き心地のよいものではない。スパイクピンを備えたゴルフシューズは、近年ではあまり用いられていない。
【０００５】
スパイクピンに代えてゴムや合成樹脂からなる突起が底面に設けられたゴルフシューズが、普及している。このゴルフシューズでは、芝生等が傷つけられることが少ない。このゴルフシューズは、履き心地に優れる。しかしこのゴルフシューズでは、スパイクピンを有するゴルフシューズに比べ、防滑性能が十分ではない。
【０００６】
右利きのゴルファーは、トップ位置からフィニッシュにかけて、左足を軸としてボディターンを行う。同時にゴルファーは、右足で地面を蹴ってその力をゴルフボールに伝える。右利きのゴルファーは、左足を軸足として使い、右足を蹴足として使う。左利きゴルファーの場合は、右足を軸足として使い、左足を蹴足として使う。軸足と蹴足との役割の相違が考慮されたゴルフシューズが、特開２００１−２９９４０６公報に開示されている。
【先行技術文献】
【特許文献】
【０００７】
【特許文献１】特開２００１−２９９４０６公報
【発明の概要】
【発明が解決しようとする課題】
【０００８】
特開２００１−２９９４０６公報に開示されたゴルフシューズでは、力の水平成分が考慮されて、突起のパターンが決定されている。このシューズでは、力の鉛直方向成分は考慮されていない。このシューズの防滑性能は、十分ではない。
【０００９】
本発明の目的は、防滑性能に優れたゴルフシューズの提供にある。
【課題を解決するための手段】
【００１０】
本発明に係るゴルフシューズは、
（Ｉ）ベースと、このベースから突出する多数の突起とを有するアウトソールを備えた軸足用靴
及び
（II）ベースと、このベースから突出する多数の突起とを有するアウトソールを備えた蹴足用靴
からなる。軸足用靴は、下記数式（１）及び（２）を満たす。蹴足用靴は、下記数式（３）及び（４）を満たす。
Ａｃ ＞ Ａｉ    （１）
Ａｃ ＞ Ａｏ    （２）
Ｂｃ ＞ Ｂｉ    （３）
Ｂｃ ＞ Ｂｏ    （４）
これら数式においてＡｉは、インサイドゾーンに存在し爪先側内角が９０°以上である突起の、この爪先側内角の平均値である。Ａｃは、センターゾーンに存在し爪先側内角が９０°以上である突起の、この爪先側内角の平均値である。Ａｏは、アウトサイドゾーンに存在し爪先側内角が９０°以上である突起の、爪先側内角の平均値である。Ｂｉは、インサイドゾーンに存在し踵側内角が９０°以上である突起の、この踵側内角の平均値である。Ｂｃはセンターゾーンに存在し踵側内角が９０°以上である突起の、この踵側内角の平均値である。Ｂｏはアウトサイドゾーンに存在し踵側内角が９０°以上である突起の、この踵側内角の平均値である。本発明では、アウトソールの底面の輪郭に画かれうる最長線の長さは、長さＬとされる。この輪郭のインサイド端を通過し最長線と平行である直線は、インサイド基準線である。この輪郭のアウトサイド端を通過し最長線と平行である直線は、アウトサイド基準線である。インサイド基準線とアウトサイド基準線との距離は、幅Ｗとされる。インサイド基準線からの距離がＷ／３であり最長線と平行な直線は、第一区画線である。アウトサイド基準線からの距離がＷ／３であり最長線と平行な直線は、第二区画線である。最長線の爪先側端からの距離が０．１０Ｌである最長線上の点を通過し、最長線と直交する直線は、第三区画線である。最長線の爪先側端からの距離が０．４０Ｌである最長線上の点を通過し、最長線と直交する直線は、第四区画線である。インサイド基準線と第一区画線と第三区画線と第四区画線とに囲まれたゾーンは、インサイドゾーンである。第一区画線と第二区画線と第三区画線と第四区画線とに囲まれているゾーンは、センターゾーンである。第二区画線とアウトサイド基準線と第三区画線と第四区画線とに囲まれているゾーンは、アウトサイドゾーンである。
【００１１】
好ましくは、平均値Ａｉ及び平均値Ａｏは９０°以上１２０°以下であり、平均値Ａｃは１００°以上１３０°以下である。好ましくは、平均値Ｂｉ及び平均値Ｂｏは９０°以上１２０°以下であり、平均値Ｂｃは１００°以上１３０°以下である。
【００１２】
好ましくは、差（Ａｃ − Ａｉ）は５°以上であり、差（Ａｃ − Ａｏ）は５°以上である。好ましくは、差（Ｂｃ − Ｂｉ）は５°以上であり、差（Ｂｃ − Ｂｏ）は５°以上である。
【００１３】
好ましくは、軸足用靴は、下記数式（５）から（７）を満たす。
（Ｎ２ ／ Ｎ１） ≧ ０．５      （５）
（Ｎ４ ／ Ｎ３） ≧ ０．５      （６）
（Ｎ６ ／ Ｎ５） ≧ ０．５      （７）
これら数式において、Ｎ１はインサイドゾーンに存在する突起の総数であり、Ｎ２はインサイドゾーンに存在しかつ爪先側内角αｉが９０°以上である突起の数であり、Ｎ３はセンターゾーンに存在する突起の総数であり、Ｎ４はセンターゾーンに存在しかつ爪先側内角αｃが９０°以上である突起の数であり、Ｎ５はアウトサイドゾーンに存在する突起の総数であり、Ｎ６はアウトサイドゾーンに存在しかつ爪先側内角αｏが９０°以上である突起の数である。
【００１４】
好ましくは、蹴足用靴は、下記数式（８）から（１０）を満たす。
（Ｎ８ ／ Ｎ７） ≧ ０．５      （８）
（Ｎ１０ ／ Ｎ９） ≧ ０．５      （９）
（Ｎ１２ ／ Ｎ１１） ≧ ０．５      （１０）
これら数式において、Ｎ７はアウトサイドゾーンに存在する突起の総数であり、Ｎ８はアウトサイドゾーンに存在しかつ踵側内角βｏが９０°以上である突起の数であり、Ｎ９はセンターゾーンに存在する突起の総数であり、Ｎ１０はセンターゾーンに存在しかつ踵側内角βｃが９０°以上である突起の数であり、Ｎ１１はインサイドゾーンに存在する突起の総数であり、Ｎ１２はインサイドゾーンに存在しかつ踵側内角βｉが９０°以上である突起の数である。
【発明の効果】
【００１５】
本発明に係るゴルフシューズでは、突起の形状が適正である。このゴルフシューズは、防滑性能に優れる。
【図面の簡単な説明】
【００１６】
【図１】図１は、本発明の一実施形態に係るゴルフシューズの軸足用靴が示された一部切欠断面図である。
【図２】図２は、図１の軸足用靴のアウトソールが示された底面図である。
【図３】図３は、図１のアウトソールの一部が示された底面図である。
【図４】図４（ａ）は図３のアウトソールの突起が示された拡大底面図であり、図４（ｂ）は図４（ａ）のＢ−Ｂ線に沿った断面図である。
【図５】図５（ａ）は図３のアウトソールの突起が示された拡大底面図であり、図５（ｂ）は図５（ａ）のＢ−Ｂ線に沿った断面図である。
【図６】図６（ａ）は図３のアウトソールの突起が示された拡大底面図であり、図６（ｂ）は図６（ａ）のＢ−Ｂ線に沿った断面図である。
【図７】図７は、蹴足用靴のアウトソールが示された底面図である。
【図８】図８は、図７のアウトソールの一部が示された底面図である。
【図９】図９（ａ）は図８のアウトソールの突起が示された拡大底面図であり、図９（ｂ）は図９（ａ）のＢ−Ｂ線に沿った断面図である。
【図１０】図１０（ａ）は図８のアウトソールの突起が示された拡大底面図であり、図１０（ｂ）は図１０（ａ）のＢ−Ｂ線に沿った断面図である。
【図１１】図１１（ａ）は図８のアウトソールの突起が示された拡大底面図であり、図１１（ｂ）は図１１（ａ）のＢ−Ｂ線に沿った断面図である。
【図１２】図１２は、本発明の他の実施形態に係るゴルフシューズの軸足用靴のアウトソールが示された底面図である。
【図１３】図１３は、図１のアウトソールの一部が示された拡大図である。
【図１４】図１４は、図１３のアウトソールの突起が示された断面図である。
【図１５】図１５は、蹴足用靴のアウトソールが示された底面図である。
【図１６】図１６は、図１５のアウトソールの一部が示された拡大図である。
【図１７】図１７は、図１６のアウトソールの突起が示された断面図である。
【図１８】図１８は、本発明のさらに他の実施形態に係るゴルフシューズの左足用靴の一部が示された底面図である。
【図１９】図１９（ａ）は図１８の靴のアウトソールの突起が示された拡大底面図であり、図１９（ｂ）は図１９（ａ）のＢ−Ｂ線に沿った断面図であり、図１９（ｃ）は図１９（ａ）のＣ−Ｃ線に沿った断面図である。
【図２０】図２０（ａ）は図１８の靴のアウトソールの突起が示された拡大底面図であり、図２０（ｂ）は図２０（ａ）のＢ−Ｂ線に沿った断面図である。
【図２１】図２１（ａ）は図１８の靴のアウトソールの突起が示された拡大底面図であり、図２１（ｂ）は図２１（ａ）のＢ−Ｂ線に沿った断面図であり、図２１（ｃ）は図２１（ａ）のＣ−Ｃ線に沿った断面図である。
【発明を実施するための形態】
【００１７】
以下、適宜図面が参照されつつ、好ましい実施形態に基づいて本発明が詳細に説明される。
【００１８】
本発明の一実施形態に係るゴルフシューズは、軸足用靴２及び蹴足用靴４からなる。図１及び２には、軸足用靴２が示されている。この軸足用靴２は、右利きゴルファーに着用される。左利きゴルファーのための軸足用靴は、図２に示された軸足用靴２の形状が反転した形状を有する。
【００１９】
軸足用靴２は、アッパー６とソール８とを備えている。ソール８は、インソール１０、ミッドソール１２及びアウトソール１４からなる。図１及び２において、符号Ｘで示されているのは幅方向であり、符号Ｙで示されているのは長さ方向であり、符号Ｚで示されているのは鉛直方向である。
【００２０】
アッパー６には、既知の材料が用いられる。天然皮革、合成皮革、人工皮革、織布等が、アッパー６に用いられうる。アッパー６の内面に、内材が貼り付けられてもよい。典型的な内材は、織布である。内材として、透湿防水材料が用いられてもよい。典型的な透湿防水材料は、ゴアテックス（登録商標）からなるブーティである。
【００２１】
インソール１０は、ミッドソール１２と積層されている。インソール１０は、織布又は発泡合成樹脂からなる。インソール１０は、足と接触する。このインソール１０は、軸足用靴２を履く動作において、足の滑りに寄与する。インソール１０はさらに、履き心地に寄与する。インソール１０が設けられなくてもよい。
【００２２】
ミッドソール１２は、発泡体からなる。好ましくは、ミッドソール１２は、多数の独立気泡を含む。着地時に、ミッドソール１２は圧縮変形を起こす。この圧縮変形により、衝撃が吸収される。ミッドソール１２における好ましい基材ポリマーは、エチレン−酢酸ビニル共重合体（ＥＶＡ）である。衝撃吸収性の観点から、ミッドソール１２の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００２３】
アウトソール１４は、ミッドソール１２の下側に位置している。アウトソール１４は、ミッドソール１２と接合されている。接合は、接着剤によって達成されうる。アウトソール１４は、架橋ゴムからなる。好ましい基材ゴムとしては、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）及びウレタンゴムが例示される。アウトソール１４に、合成樹脂又はエラストマーが用いられてもよい。アウトソール１４は、気泡を含まない。耐摩耗性の観点から、アウトソール１４の硬度は７０以上が好ましく、７５以上が特に好ましい。足の変形への追従性の観点から、硬度は８５以下が好ましく、８０以下が特に好ましい。硬度は、「ＪＩＳ  Ｋ  ６２５３」の規定に準拠して、タイプＡのデュロメーターにて測定される。
【００２４】
図２には、アウトソール１４の底面が示されている。このアウトソール１４は、ベース１６と多数の突起１８を備えている。それぞれの突起１８は、ベース１６から突出している。この突起１８は、軸足用靴２の防滑性能に寄与する。防滑性能の観点から、突起１８の高さは２ｍｍ以上が好ましく、４ｍｍ以上が特に好ましい。突起１８の剛性の観点から、突起１８の高さは１５ｍｍ以下が好ましく、１０ｍｍ以下が特に好ましい。防滑性能の観点から、突起１８とこれに隣接する他の突起１８の間の距離は、５ｍｍ以上が好ましい。
【００２５】
図２において符号ＭＬで示されているのは、最長線である。最長線ＭＬは、アウトソール１４の底面の輪郭内に画かれうる線分の中で最も長い線分である。最長線ＭＬの長さは、符号Ｌで示されている。符号Ｐｔで示されているのは最長線ＭＬの爪先側端であり、符号Ｐｈで示されているのは最長線ＭＬの踵側端である。最長線ＭＬは、長さ方向Ｙに沿っている。
【００２６】
図２には、インサイド基準線Ｓｉ及びアウトサイド基準線Ｓｏが示されている。インサイド基準線Ｓｉは、輪郭のインサイド端Ｐｉを通過する。インサイド基準線Ｓｉは、最長線ＭＬと平行である。アウトサイド基準線Ｓｏは、輪郭のアウトサイド端Ｐｏを通過する。アウトサイド基準線Ｓｏは、最長線ＭＬと平行である。インサイド基準線Ｓｉとアウトサイド基準線Ｓｏとの距離は、靴幅Ｗと称される。
【００２７】
図２には、第一区画線Ｓ１及び第二区画線Ｓ２が示されている。第一区画線Ｓ１は、最長線ＭＬと平行である。インサイド基準線Ｓｉから第一区画線Ｓ１までの距離は、Ｗ／３である。第二区画線Ｓ２は、最長線ＭＬと平行である。アウトサイド基準線Ｓｏから第二区画線Ｓ２までの距離は、Ｗ／３である。
【００２８】
図２には、第三区画線Ｓ３及び第四区画線Ｓ４が示されている。第三区画線Ｓ３は、点Ｐ３において最長線ＭＬと直交している。最長線ＭＬの爪先側端Ｐｔから点Ｐ３までの距離は、０．１０Ｌである。第四区画線Ｓ４は、点Ｐ４において最長線ＭＬと直交している。最長線ＭＬの爪先側端Ｐｔから点Ｐ４までの距離は、０．４０Ｌである。
【００２９】
図２には、インサイドゾーンＺｉ、センターゾーンＺｃ及びアウトサイドゾーンＺｏが示されている。インサイドゾーンＺｉは、インサイド基準線Ｓｉ、第一区画線Ｓ１、第三区画線Ｓ３及び第四区画線Ｓ４に囲まれている。センターゾーンＺｃは、第一区画線Ｓ１、第二区画線Ｓ２、第三区画線Ｓ３及び第四区画線Ｓ４に囲まれている。アウトサイドゾーンＺｏは、第二区画線Ｓ２、アウトサイド基準線Ｓｏ、第三区画線Ｓ３及び第四区画線Ｓ４に囲まれている。
【００３０】
本発明者は、透明な台の上でゴルファーにスイングさせることにより、アウトソール１４にかかる力の位置を観察した。さらに本発明者は、アウトソール１４にかかる力のベクトルを測定した。この測定には、三次元床反力計が用いられた。力の位置とベクトルとを測定する装置を、本発明者は、特願２００９−１４７７００において提案した。
【００３１】
図３において、矢印Ｔｐで示されているのはトップ位置での力のベクトルのＸ−Ｙ成分であり、矢印Ｄｐで示されているのはダウンスイングでの力のベクトルのＸ−Ｙ成分であり、矢印Ｉｐで示されているのはインパクトでの力のベクトルのＸ−Ｙ成分である。後述されるように、それぞれのベクトルは、Ｚ成分も有する。
【００３２】
図３に示されるように、トップ位置でのベクトルＴｐの向きは、Ｘ方向において負の成分と、Ｙ方向において正の成分とを有する。本発明者の得た知見によれば、このベクトルＴｐと最長線ＭＬ（図２参照）との角度は、ほぼ４０°である。トップ位置では、力は主としてインサイドゾーンＺｉにかかっている。
【００３３】
図３に示されるように、ダウンスイングでのベクトルＤｐの向きは、Ｙ方向とほぼ一致する。ダウンスイングでは、力は主としてセンターゾーンＺｃにかかっている。
【００３４】
図３に示されるように、インパクトでのベクトルＩｐの向きは、Ｘ方向において正の成分と、Ｙ方向において正の成分とを有する。本発明者の得た知見によれば、このベクトルＩｐと最長線ＭＬ（図２参照）との角度は、ほぼ４０°である。インパクトでは、力は主としてアウトサイドゾーンＺｏにかかっている。
【００３５】
図４（ａ）には、インサイドゾーンＺｉに存在する突起１８ａが示されている。図４（ｂ）は、図４（ａ）のＢ−Ｂ線に沿った断面図である。この突起１８ａは、接地面２０、爪先側壁２２、踵側壁２４、インサイド壁２６及びアウトサイド壁２８を備えている。図４（ａ）のＢ−Ｂ線は、接地面２０の面積中心Ｃを通過している。Ｂ−Ｂ線は、最長線ＭＬに対して、反時計回りに４０°傾斜している。
【００３６】
図４（ｂ）において矢印Ｔｐで示されているのは、トップ位置での力のベクトルである。このベクトルＴｐは、Ｚ成分を有する。このベクトルＴｐは、水平方向に対して傾斜している。多数のゴルファーについての測定から得られた、水平方向に対するベクトルＴｐの傾斜角度の平均値は、１０５°である。
【００３７】
爪先側壁２２は、爪先側内角αｉを有する。爪先側壁２２の延在方向とベクトルＴｐの方向とがほぼ一致するように、内角αｉが設定される。ベクトルＴｐがＹ方向において正の成分を有するので、内角αｉは９０°よりも大きい。前述の通り、水平方向に対するベクトルＴｐの傾斜角度の平均値が１０５°なので、内角αｉは、理想的には１０５°である。
【００３８】
爪先側壁２２の延在方向がベクトルＴｐの方向とほぼ一致する突起１８ａは、トップ位置において、座屈しにくい。アウトソール１４に働く力は、突起１８ａの変形にほとんど消費されない。この力により、突起１８ａが地面に突き刺さる。この突き刺さりにより、トップ位置でのアウトソール１４と地面とのスリップが抑制される。この軸足用靴２は、防滑性能に優れる。
【００３９】
前述の通り、Ｘ−Ｙ平面におけるベクトルＴｐと最長線ＭＬとの角度は、ほぼ４０°である。さらに、トップ位置では、力は主としてインサイドゾーンＺｉにかかる。従って本発明では、最長線ＭＬに対して反時計回りに４０°傾斜しているＢ−Ｂ線に沿って、インサイドゾーンＺｉに存在する突起１８の角度αｉが測定される。
【００４０】
防滑性能の観点から、内角αｉは９０°以上１４０°以下が好ましい。角度αｉは９５°以上がより好ましく、１００°以上が特に好ましい。角度αｉは１３０°以下がより好ましく、１２０°以下が特に好ましい。
【００４１】
インサイドゾーンＺｉに存在し、かつ内角αｉが９０°以上である全ての突起１８に関し、内角αｉが測定される。これら内角αｉが平均され、平均値Ａｉが得られる。平均値Ａｉの算出例が、以下に示される。
突起の総数：６
内角αｉが８０°である突起の数：１
内角αｉが９５°である突起の数：２
内角αｉが１１０°である突起の数：３
Ａｉ ＝ （９５ ＊ ２ ＋ １１０ ＊ ３） ／ ５
＝ １０４
【００４２】
防滑性能の観点から、平均値Ａｉは９０°以上１２０°以下が好ましい。平均値Ａｉは９５°以上がより好ましく、１００°以上が特に好ましい。平均値Ａｉは１１５°以下がより好ましく、１１０°以下が特に好ましい。
【００４３】
インサイドゾーンＺｉに存在する突起１８の総数Ｎ１に対する、インサイドゾーンＺｉに存在しかつ内角αｉが９０°以上である突起１８の数Ｎ２の比（Ｎ２／Ｎ１）は、０．５以上が好ましく、０．７以上がより好ましく、０．９以上が特に好ましい。理想的には、比（Ｎ２／Ｎ１）は１．０である。総数Ｎ１は２以上が好ましく、３以上が特に好ましい。
【００４４】
図５（ａ）には、センターゾーンＺｃに存在する突起１８ｂが示されている。図５（ｂ）は、図５（ａ）のＢ−Ｂ線に沿った断面図である。この突起１８ｂは、接地面３０、爪先側壁３２、踵側壁３４、インサイド壁３６及びアウトサイド壁３８を備えている。図５（ａ）のＢ−Ｂ線は、接地面３０の面積中心Ｃを通過している。Ｂ−Ｂ線は、最長線ＭＬと平行である。
【００４５】
図５（ｂ）において矢印Ｄｐで示されているのは、ダウンスイングでの力のベクトルである。このベクトルＤｐは、Ｚ成分を有する。このベクトルＤｐは、水平方向に対して傾斜している。多数のゴルファーについての測定から得られた、水平方向に対するベクトルＤｐの傾斜角度の平均値は、１１５°である。
【００４６】
爪先側壁３２は、爪先側内角αｃを有する。爪先側壁３２の延在方向とベクトルＤｐの方向とがほぼ一致するように、内角αｃが設定される。ベクトルＤｐがＹ方向において正の成分を有するので、内角αｃは９０°よりも大きい。前述の通り、水平方向に対するベクトルＤｐの傾斜角度の平均値が１１５°なので、内角αｃは、理想的には１１５°である。
【００４７】
爪先側壁３２の延在方向がベクトルＤｐの方向とほぼ一致する突起１８ｂは、ダウンスイングにおいて、座屈しにくい。アウトソール１４に働く力は、突起１８ｂの変形にほとんど消費されない。この力により、突起１８ｂは地面に突き刺さる。この突き刺さりにより、ダウンスイングでのアウトソール１４と地面とのスリップが抑制される。この軸足用靴２は、防滑性能に優れる。
【００４８】
前述の通り、Ｘ−Ｙ平面におけるベクトルＤｐの方向は、Ｙ方向とほぼ一致する。さらに、ダウンスイングでは、力は主としてセンターゾーンＺｃにかかる。従って本発明では、最長線ＭＬと平行であるＢ−Ｂ線に沿って、センターゾーンＺｃに存在する突起１８の角度αｃが測定される。
【００４９】
防滑性能の観点から、内角αｃは１００°以上１５０°以下が好ましい。角度αｃは１０５°以上がより好ましく、１１０°以上が特に好ましい。角度αｃは１４０°以下がより好ましく、１３０°以下が特に好ましい。
【００５０】
センターゾーンＺｃに存在し、かつ内角αｃが９０°以上である全ての突起１８に関し、内角αｃが測定される。これら内角αｃが平均され、平均値Ａｃが得られる。平均値Ａｃの算出例が、以下に示される。
突起の総数：６
内角αｃが８０°である突起の数：１
内角αｃが１０５°である突起の数：２
内角αｃが１２０°である突起の数：３
Ａｃ ＝ （１０５ ＊ ２ ＋ １２０ ＊ ３） ／ ５
＝ １１４
【００５１】
防滑性能の観点から、平均値Ａｃは１００°以上１３０°以下が好ましい。平均値Ａｃは１０５°以上がより好ましく、１１０°以上が特に好ましい。平均値Ａｃは１２５°以下がより好ましく、１２０°以下が特に好ましい。
【００５２】
センターゾーンＺｃに存在する突起１８の総数Ｎ３に対する、センターゾーンＺｃに存在しかつ内角αｃが９０°以上である突起１８の数Ｎ４の比（Ｎ４／Ｎ３）は、０．５以上が好ましく、０．７以上がより好ましく、０．９以上が特に好ましい。理想的には、比（Ｎ４／Ｎ３）は１．０である。総数Ｎ３は２以上が好ましく、３以上が特に好ましい。
【００５３】
図６（ａ）には、アウトサイドゾーンＺｏに存在する突起１８ｃが示されている。図６（ｂ）は、図６（ａ）のＢ−Ｂ線に沿った断面図である。この突起１８ｃは、接地面４０、爪先側壁４２、踵側壁４４、インサイド壁４６及びアウトサイド壁４８を備えている。図６（ａ）のＢ−Ｂ線は、接地面３０の面積中心Ｃを通過している。Ｂ−Ｂ線は、最長線ＭＬに対して、時計回りに４０°傾斜している。
【００５４】
図６（ｂ）において矢印Ｉｐで示されているのは、インパクトでの力のベクトルである。このベクトルＩｐは、Ｚ成分を有する。このベクトルＩｐは、水平方向に対して傾斜している。多数のゴルファーについての測定から得られた、水平方向に対するベクトルＩｐの傾斜角度の平均値は、１０５°である。
【００５５】
爪先側壁４２は、爪先側内角αｏを有する。爪先側壁４２の延在方向とベクトルＩｐの方向とがほぼ一致するように、内角αｏが設定される。ベクトルＩｐがＹ方向において正の成分を有するので、内角αｏは９０°よりも大きい。前述の通り、水平方向に対するベクトルＩｐの傾斜角度の平均値が１０５°なので、内角αｏは、理想的には１０５°である。
【００５６】
爪先側壁４２の延在方向がベクトルＩｐの方向とほぼ一致する突起１８ｃは、インパクトにおいて、座屈しにくい。アウトソール１４に働く力は、突起１８ｃの変形にほとんど消費されない。この力により、突起１８ｃは地面に突き刺さる。この突き刺さりにより、インパクトでのアウトソール１４と地面とのスリップが抑制される。この軸足用靴２は、防滑性能に優れる。
【００５７】
前述の通り、Ｘ−Ｙ平面におけるベクトルＩｐと最長線ＭＬとの角度は、ほぼ４０°である。さらに、インパクトでは、力は主としてアウトサイドゾーンＺｏにかかる。従って本発明では、最長線ＭＬに対して時計回りに４０°傾斜しているＢ−Ｂ線に沿って、アウトサイドゾーンＺｏに存在する突起１８の角度αｏが測定される。
【００５８】
防滑性能の観点から、内角αｏは９０°以上１４０°以下が好ましい。角度αｏは９５°以上がより好ましく、１００°以上が特に好ましい。角度αｏは１３０°以下がより好ましく、１２０°以下が特に好ましい。
【００５９】
アウトサイドゾーンＺｏに存在し、かつ内角αｏが９０°以上である全ての突起１８に関し、内角αｏが測定される。これら内角αｏが平均され、平均値Ａｏが得られる。平均値Ａｏの算出例が、以下に示される。
突起の総数：６
内角αｏが８０°である突起の数：１
内角αｏが９５°である突起の数：２
内角αｏが１１０°である突起の数：３
Ａｏ ＝ （９５ ＊ ２ ＋ １１０ ＊ ３） ／ ５
＝ １０４
【００６０】
防滑性能の観点から、平均値Ａｏは９０°以上１２０°以下が好ましい。平均値Ａｏは９５°以上がより好ましく、１００°以上が特に好ましい。平均値Ａｏは１１５°以下がより好ましく、１１０°以下が特に好ましい。
【００６１】
アウトサイドゾーンＺｏに存在する突起１８の総数Ｎ５に対する、アウトサイドゾーンＺｏに存在しかつ内角αｏが９０°以上である突起１８の数Ｎ６の比（Ｎ６／Ｎ５）は、０．５以上が好ましく、０．７以上がより好ましく、０．９以上が特に好ましい。理想的には、比（Ｎ６／Ｎ５）は１．０である。総数Ｎ５は２以上が好ましく、３以上が特に好ましい。
【００６２】
トップ位置からインパクトまでの防滑性能の観点から、差（Ａｃ − Ａｉ）及び差（Ａｃ − Ａｏ）は５°以上が好ましく、１０°以上が特に好ましい。差（Ａｃ − Ａｉ）及び差（Ａｃ − Ａｏ）は、３５°以下が好ましい。
【００６３】
インサイドゾーンＺｉとセンターゾーンＺｃとに跨って存在し、かつ面積中心ＣがインサイドゾーンＺｉに存在する突起１８は、「インサイドゾーンＺｉに存在する突起」である。インサイドゾーンＺｉとセンターゾーンＺｃとに跨って存在し、かつ面積中心ＣがセンターゾーンＺｃに存在する突起１８は、「センターゾーンＺｃに存在する突起」である。センターゾーンＺｃとアウトサイドゾーンＺｏとに跨って存在し、かつ面積中心ＣがセンターゾーンＺｃに存在する突起１８は、「センターゾーンＺｃに存在する突起」である。センターゾーンＺｃとアウトサイドゾーンＺｏとに跨って存在し、かつ面積中心ＣがアウトサイドゾーンＺｏに存在する突起１８は、「アウトサイドゾーンＺｏに存在する突起」である。
【００６４】
インサイドゾーンＺｉとセンターゾーンＺｃとに跨って存在し、かつ面積中心Ｃが第一区画線Ｓ１の上に存在する突起１８は、「インサイドゾーンＺｉに存在する突起」であると共に、「センターゾーンＺｃに存在する突起」でもある。この突起１８は、数Ｎ１にカウントされ、数Ｎ３にもカウントされる。
【００６５】
センターゾーンＺｃとアウトサイドゾーンＺｏとに跨って存在し、かつ面積中心Ｃが第二区画線Ｓ２の上に存在する突起１８は、「センターゾーンＺｃに存在する突起」であると共に、「アウトサイドゾーンＺｏに存在する突起」でもある。この突起１８は、数Ｎ３にカウントされ、数Ｎ５にもカウントされる。
【００６６】
図７には、蹴足用靴４のアウトソール５０の底面が示されている。このアウトソール５０の材質は、図２に示されたアウトソール１４の材質と同等である。図示されていないが、蹴足用靴４はアッパー、インソール及びミッドソールを備えている。アッパー、インソール及びミッドソールの材質は、それぞれ、図１に示された軸足用靴２のアッパー６、インソール１０及びミッドソール１２の材質と同等である。この蹴足用靴４は、右利きゴルファーに着用される。左利きゴルファーのための蹴足用靴は、図７に示された蹴足用靴４の形状が反転した形状を有する。
【００６７】
このアウトソール５０は、ベース５２と多数の突起５４を備えている。それぞれの突起５４は、ベース５２から突出している。この突起５４は、蹴足用靴４の防滑性能に寄与する。防滑性能の観点から、突起５４の高さは２ｍｍ以上が好ましく、４ｍｍ以上が特に好ましい。突起５４の剛性の観点から、突起５４の高さは１５ｍｍ以下が好ましく、１０ｍｍ以下が特に好ましい。防滑性能の観点から、突起５４とこれに隣接する他の突起５４の間の距離は、５ｍｍ以上が好ましい。
【００６８】
図７には、図２と同様に、最長線ＭＬ、インサイド基準線Ｓｉ、アウトサイド基準線Ｓｏ、第一区画線Ｓ１、第二区画線Ｓ２、第三区画線Ｓ３及び第四区画線Ｓ４が示されている。図７にはさらに、インサイドゾーンＺｉ、センターゾーンＺｃ及びアウトサイドゾーンＺｏが示されている。インサイドゾーンＺｉは、インサイド基準線Ｓｉ、第一区画線Ｓ１、第三区画線Ｓ３及び第四区画線Ｓ４に囲まれている。センターゾーンＺｃは、第一区画線Ｓ１、第二区画線Ｓ２、第三区画線Ｓ３及び第四区画線Ｓ４に囲まれている。アウトサイドゾーンＺｏは、第二区画線Ｓ２、アウトサイド基準線Ｓｏ、第三区画線Ｓ３及び第四区画線Ｓ４に囲まれている。
【００６９】
図８において、矢印Ｔｋで示されているのはトップ位置での力のベクトルのＸ−Ｙ成分であり、矢印Ｄｋで示されているのはダウンスイングでの力のベクトルのＸ−Ｙ成分であり、矢印Ｉｋで示されているのはインパクトでの力のベクトルのＸ−Ｙ成分である。後述されるように、それぞれのベクトルは、Ｚ成分も有する。
【００７０】
図８に示されるように、トップ位置でのベクトルＴｋの向きは、Ｘ方向において負の成分と、Ｙ方向において負の成分とを有する。本発明者の得た知見によれば、このベクトルＴｋと最長線ＭＬ（図７参照）との角度は、ほぼ４０°である。トップ位置では、力は主としてアウトサイドゾーンＺｏにかかっている。
【００７１】
図８に示されるように、ダウンスイングでのベクトルＤｋの向きは、Ｙ方向と逆の方向とほぼ一致する。ダウンスイングでは、力は主としてセンターゾーンＺｃにかかっている。
【００７２】
図８に示されるように、インパクトでのベクトルＩｋの向きは、Ｘ方向において正の成分と、Ｙ方向において負の成分とを有する。本発明者の得た知見によれば、このベクトルＩｋと最長線ＭＬ（図７参照）との角度は、ほぼ４０°である。インパクトでは、力は主としてインサイドゾーンＺｉにかかっている。
【００７３】
図９（ａ）には、アウトサイドゾーンＺｏに存在する突起５４ａが示されている。図９（ｂ）は、図９（ａ）のＢ−Ｂ線に沿った断面図である。この突起５４ａは、接地面５６、爪先側壁５８、踵側壁６０、インサイド壁６２及びアウトサイド壁６４を備えている。図９（ａ）のＢ−Ｂ線は、接地面の面積中心Ｃを通過している。Ｂ−Ｂ線は、最長線ＭＬに対して、時計回りに４０°傾斜している。
【００７４】
図９（ｂ）において矢印Ｔｋで示されているのは、トップ位置での力のベクトルである。このベクトルＴｋは、Ｚ成分を有する。このベクトルＴｋは、水平方向に対して傾斜している。多数のゴルファーについての測定から得られた、水平方向に対するベクトルＴｋの傾斜角度の平均値は、１０５°である。
【００７５】
踵側壁６０は、踵側内角βｏを有する。踵側壁６０の延在方向とベクトルＴｋの方向とがほぼ一致するように、内角βｏが設定される。ベクトルＴｋがＹ方向において負の成分を有するので、内角βｏは９０°よりも大きい。前述の通り、水平方向に対するベクトルＴｋの傾斜角度の平均値が１０５°なので、内角βｏは、理想的には１０５°である。
【００７６】
踵側壁６０の延在方向がベクトルＴｋの方向とほぼ一致する突起５４ａは、トップ位置において、座屈しにくい。アウトソール５０に働く力は、突起５４ａの変形にほとんど消費されない。この力により、突起５４ａは地面に突き刺さる。この突き刺さりにより、トップ位置でのアウトソール５０と地面とのスリップが抑制される。この蹴足用靴４は、防滑性能に優れる。
【００７７】
前述の通り、Ｘ−Ｙ平面におけるベクトルＴｋと最長線ＭＬとの角度は、ほぼ４０°である。さらに、トップ位置では、力は主としてアウトサイドゾーンＺｏにかかる。従って本発明では、最長線ＭＬに対して時計回りに４０°傾斜しているＢ−Ｂ線に沿って、アウトサイドゾーンＺｏに存在する突起５４の角度βｏが測定される。
【００７８】
防滑性能の観点から、内角βｏは９０°以上１４０°以下が好ましい。角度βｏは９５°以上がより好ましく、１００°以上が特に好ましい。角度βｏは１３０°以下がより好ましく、１２０°以下が特に好ましい。
【００７９】
アウトサイドゾーンＺｏに存在し、かつ内角βｏが９０°以上である全ての突起５４に関し、内角βｏが測定される。これら内角βｏが平均され、平均値Ｂｏが得られる。平均値Ｂｏの算出例が、以下に示される。
突起の総数：６
内角βｏが８０°である突起の数：１
内角βｏが９５°である突起の数：２
内角βｏが１１０°である突起の数：３
Ｂｏ ＝ （９５ ＊ ２ ＋ １１０ ＊ ３） ／ ５
＝ １０４
【００８０】
防滑性能の観点から、平均値Ｂｏは９０°以上１２０°以下が好ましい。平均値Ｂｏは９５°以上がより好ましく、１００°以上が特に好ましい。平均値Ｂｏは１１５°以下がより好ましく、１１０°以下が特に好ましい。
【００８１】
アウトサイドゾーンＺｏに存在する突起５４の総数Ｎ７に対する、アウトサイドゾーンＺｏに存在しかつ内角βｏが９０°以上である突起５４の数Ｎ８の比（Ｎ８／Ｎ７）は、０．５以上が好ましく、０．７以上がより好ましく、０．９以上が特に好ましい。理想的には、比（Ｎ８／Ｎ７）は１．０である。総数Ｎ７は２以上が好ましく、３以上が特に好ましい。
【００８２】
図１０（ａ）には、センターゾーンＺｃに存在する突起５４ｂが示されている。図１０（ｂ）は、図１０（ａ）のＢ−Ｂ線に沿った断面図である。この突起５４ｂは、接地面６６、爪先側壁６８、踵側壁７０、インサイド壁７２及びアウトサイド壁７４を備えている。図１０（ａ）のＢ−Ｂ線は、接地面の面積中心Ｃを通過している。Ｂ−Ｂ線は、最長線ＭＬと平行である。
【００８３】
図１０（ｂ）において矢印Ｄｋで示されているのは、ダウンスイングでの力のベクトルである。このベクトルＤｋは、Ｚ成分を有する。このベクトルＤｋは、水平方向に対して傾斜している。多数のゴルファーについての測定から得られた、水平方向に対するベクトルＤｋの傾斜角度の平均値は、１１５°である。
【００８４】
踵側壁７０は、踵側内角βｃを有する。踵側壁７０の延在方向とベクトルＤｋの方向とがほぼ一致するように、内角βｃが設定される。ベクトルＤｋがＹ方向において負の成分を有するので、内角βｃは９０°よりも大きい。前述の通り、水平方向に対するベクトルＤｋの傾斜角度の平均値が１１５°なので、内角βｃは、理想的には１１５°である。
【００８５】
踵側壁７０の延在方向がベクトルＤｋの方向とほぼ一致する突起５４ｂは、ダウンスイングにおいて、座屈しにくい。アウトソール５０に働く力は、突起５４ｂの変形にほとんど消費されない。この力により、突起５４ｂは地面に突き刺さる。この突き刺さりにより、ダウンスイングでのアウトソール５０と地面とのスリップが抑制される。この蹴足用靴４は、防滑性能に優れる。
【００８６】
前述の通り、Ｘ−Ｙ平面におけるベクトルＤｋの方向は、Ｙ方向と逆の方向と、ほぼ一致する。さらに、ダウンスイングでは、力は主としてセンターゾーンＺｃにかかる。従って本発明では、最長線ＭＬと平行であるＢ−Ｂ線に沿って、センターゾーンＺｃに存在する突起５４の角度βｃが測定される。
【００８７】
防滑性能の観点から、内角βｃは１００°以上１５０°以下が好ましい。角度βｃは１０５°以上がより好ましく、１１０°以上が特に好ましい。角度βｃは１４０°以下がより好ましく、１３０°以下が特に好ましい。
【００８８】
センターゾーンＺｃに存在し、かつ内角βｃが９０°以上である全ての突起５４に関し、内角βｃが測定される。これら内角βｃが平均され、平均値Ｂｃが得られる。平均値Ｂｃの算出例が、以下に示される。
突起の総数：６
内角βｃが８０°である突起の数：１
内角βｃが１０５°である突起の数：２
内角βｃが１２０°である突起の数：３
Ｂｃ ＝ （１０５ ＊ ２ ＋ １２０ ＊ ３） ／ ５
＝ １１４
【００８９】
防滑性能の観点から、平均値Ｂｃは１００°以上１３０°以下が好ましい。平均値Ｂｃは１０５°以上がより好ましく、１１０°以上が特に好ましい。平均値Ｂｃは１２５°以下がより好ましく、１２０°以下が特に好ましい。
【００９０】
センターゾーンＺｃに存在する突起５４の総数Ｎ９に対する、センターゾーンＺｃに存在しかつ内角βｃが９０°以上である突起５４の数Ｎ１０の比（Ｎ１０／Ｎ９）は、０．５以上が好ましく、０．７以上がより好ましく、０．９以上が特に好ましい。理想的には、比（Ｎ１０／Ｎ９）は１．０である。総数Ｎ９は２以上が好ましく、３以上が特に好ましい。
【００９１】
図１１（ａ）には、インサイドゾーンＺｉに存在する突起５４ｃが示されている。図１１（ｂ）は、図１１（ａ）のＢ−Ｂ線に沿った断面図である。この突起５４ｃは、接地面７６、爪先側壁７８、踵側壁８０、インサイド壁８２及びアウトサイド壁８４を備えている。図１１（ａ）のＢ−Ｂ線は、接地面の面積中心Ｃを通過している。Ｂ−Ｂ線は、最長線ＭＬに対して、反時計回りに４０°傾斜している。
【００９２】
図１１（ｂ）において矢印Ｉｋで示されているのは、インパクトでの力のベクトルである。このベクトルＩｋは、Ｚ成分を有する。このベクトルＩｋは、水平方向に対して傾斜している。多数のゴルファーについての測定から得られた、水平方向に対するベクトルＩｋの傾斜角度の平均値は、１０５°である。
【００９３】
踵側壁８０は、踵側内角βｉを有する。踵側壁８０の延在方向とベクトルＩｋの方向とがほぼ一致するように、内角βｉが設定される。ベクトルＩｋがＹ方向において負の成分を有するので、内角βｉは９０°よりも大きい。前述の通り、水平方向に対するベクトルＩｋの傾斜角度の平均値が１０５°なので、内角βｉは、理想的には１０５°である。
【００９４】
踵側壁８０の延在方向がベクトルＩｋの方向とほぼ一致する突起５４ｃは、インパクトにおいて、座屈しにくい。アウトソール５０に働く力は、突起５４ｃの変形にほとんど消費されない。この力により、突起５４ｃは地面に突き刺さる。この突き刺さりにより、インパクトでのアウトソール５０と地面とのスリップが抑制される。この蹴足用靴４は、防滑性能に優れる。
【００９５】
前述の通り、Ｘ−Ｙ平面におけるベクトルＩｋと最長線ＭＬとの角度は、ほぼ４０°である。さらに、インパクトでは、力は主としてインサイドゾーンＺｉにかかる。従って本発明では、最長線ＭＬに対して反時計回りに４０°傾斜しているＢ−Ｂ線に沿って、インサイドゾーンＺｉに存在する突起５４の角度βｉが測定される。
【００９６】
防滑性能の観点から、内角βｉは９０°以上１４０°以下が好ましい。角度βｉは９５°以上がより好ましく、１００°以上が特に好ましい。角度βｉは１３０°以下がより好ましく、１２０°以下が特に好ましい。
【００９７】
インサイドゾーンＺｉに存在し、かつ内角βｉが９０°以上である全ての突起５４に関し、内角βｉが測定される。これら内角βｉが平均され、平均値Ｂｉが得られる。平均値Ｂｉの算出例が、以下に示される。
突起の総数：６
内角βｉが８０°である突起の数：１
内角βｉが９５°である突起の数：２
内角βｉが１１０°である突起の数：３
Ｂｉ ＝ （９５ ＊ ２ ＋ １１０ ＊ ３） ／ ５
＝ １０４
【００９８】
防滑性能の観点から、平均値Ｂｉは９０°以上１２０°以下が好ましい。平均値Ｂｉは９５°以上がより好ましく、１００°以上が特に好ましい。平均値Ｂｉは１１５°以下がより好ましく、１１０°以下が特に好ましい。
【００９９】
インサイドゾーンＺｉに存在する突起５４の総数Ｎ１１に対する、インサイドゾーンＺｉに存在しかつ内角βｉが９０°以上である突起５４の数Ｎ１２の比（Ｎ１２／Ｎ１１）は、０．５以上が好ましく、０．７以上がより好ましく、０．９以上が特に好ましい。理想的には、比（Ｎ１２／Ｎ１１）は１．０である。総数Ｎ１１は２以上が好ましく、３以上が特に好ましい。
【０１００】
トップ位置からインパクトまでの防滑性能の観点から、差（Ｂｃ − Ｂｏ）及び差（Ｂｃ − Ｂｉ）は５°以上が好ましく、１０°以上が特に好ましい。差（Ｂｃ − Ｂｏ）及び差（Ｂｃ − Ｂｉ）は、３５°以下が好ましい。
【０１０１】
アウトサイドゾーンＺｏとセンターゾーンＺｃとに跨って存在し、かつ面積中心ＣがアウトサイドゾーンＺｏに存在する突起５４は、「アウトサイドゾーンＺｏに存在する突起」である。アウトサイドゾーンＺｏとセンターゾーンＺｃとに跨って存在し、かつ面積中心ＣがセンターゾーンＺｃに存在する突起５４は、「センターゾーンＺｃに存在する突起」である。センターゾーンＺｃとインサイドゾーンＺｉとに跨って存在し、かつ面積中心ＣがセンターゾーンＺｃに存在する突起５４は、「センターゾーンＺｃに存在する突起」である。センターゾーンＺｃとインサイドゾーンＺｉとに跨って存在し、かつ面積中心ＣがインサイドゾーンＺｉに存在する突起５４は、「インサイドゾーンＺｉに存在する突起」である。
【０１０２】
アウトサイドゾーンＺｏとセンターゾーンＺｃとに跨って存在し、かつ面積中心Ｃが第二区画線Ｓ２の上に存在する突起５４は、「アウトサイドゾーンＺｏに存在する突起」であると共に、「センターゾーンＺｃに存在する突起」でもある。この突起５４は、数Ｎ７にカウントされ、数Ｎ９にもカウントされる。
【０１０３】
センターゾーンＺｃとインサイドゾーンＺｉとに跨って存在し、かつ面積中心Ｃが第一区画線Ｓ１の上に存在する突起５４は、「センターゾーンＺｃに存在する突起」であると共に、「インサイドゾーンＺｉに存在する突起」でもある。この突起５４は、数Ｎ９にカウントされ、数Ｎ１１にもカウントされる。
【０１０４】
本発明の他の実施形態に係るゴルフシューズは、軸足用靴８６及び蹴足用靴８８からなる。図１２には、軸足用靴８６のアウトソール９０の底面が示されている。このアウトソール９０の材質は、図２に示されたアウトソール１４の材質と同等である。図示されていないが、軸足用靴８６はアッパー、インソール及びミッドソールを備えている。アッパー、インソール及びミッドソールの材質は、それぞれ、図１に示された軸足用靴８６のアッパー６、インソール１０及びミッドソール１２の材質と同等である。
【０１０５】
このアウトソール９０は、ベース９２と多数の突起９４を備えている。それぞれの突起９４は、ベース９２から突出している。この突起９４は、軸足用靴８６の防滑性能に寄与する。防滑性能の観点から、突起９４の高さは２ｍｍ以上が好ましく、４ｍｍ以上が特に好ましい。突起９４の剛性の観点から、突起９４の高さは１５ｍｍ以下が好ましく、１０ｍｍ以下が特に好ましい。防滑性能の観点から、突起９４とこれに隣接する他の突起９４の間の距離は、５ｍｍ以上が好ましい。
【０１０６】
図１２には、図２と同様に、最長線ＭＬ、インサイド基準線Ｓｉ、アウトサイド基準線Ｓｏ、第一区画線Ｓ１、第二区画線Ｓ２、第三区画線Ｓ３及び第四区画線Ｓ４が示されている。図１２にはさらに、インサイドゾーンＺｉ、センターゾーンＺｃ及びアウトサイドゾーンＺｏが示されている。インサイドゾーンＺｉは、インサイド基準線Ｓｉ、第一区画線Ｓ１、第三区画線Ｓ３及び第四区画線Ｓ４に囲まれている。センターゾーンＺｃは、第一区画線Ｓ１、第二区画線Ｓ２、第三区画線Ｓ３及び第四区画線Ｓ４に囲まれている。アウトサイドゾーンＺｏは、第二区画線Ｓ２、アウトサイド基準線Ｓｏ、第三区画線Ｓ３及び第四区画線Ｓ４に囲まれている。
【０１０７】
図１３には、符号９４ａから９４ｋにより、突起が示されている。これらの突起９４は、爪先側に凸な曲線に沿って配置されている。突起（９４ａ、９４ｂ、９４ｃ、９４ｄ及び９４ｅ）は、インサイドゾーンＺｉに存在している。突起（９４ｆ、９４ｇ及び９４ｈ）は、センターゾーンＺｃに存在している。突起（９４ｉ、９４ｊ及び９４ｋ）は、アウトサイドゾーンＺｏに存在している。
【０１０８】
図１４には、突起９４の断面が示されている。インサイドゾーンＺｉに存在する突起（９４ａ、９４ｂ、９４ｃ、９４ｄ及び９４ｅ）に関しては、最長線ＭＬに対して反時計回りに４０°傾斜した線に沿った断面が示されている。センターゾーンＺｃに存在する突起（９４ｆ、９４ｇ及び９４ｈ）に関しては、最長線ＭＬに平行な線に沿った断面が示されている。アウトサイドゾーンＺｏに存在する突起（９４ｉ、９４ｊ及び９４ｋ）に関しては、最長線ＭＬに対して時計回りに４０°傾斜した線に沿った断面が示されている。
【０１０９】
図１４から明らかなように、爪先側壁９６の内角αは、突起９４ａから突起９４ｆまでの間で、徐々に大きくなっている。この内角αは、突起９４ｆから突起９４ｋまでの間で、徐々に小さくなっている。センターゾーンＺｃにある突起９４ｆは、最大の内角αを有する。これらの突起９４は、スイング中に座屈しにくい。アウトソール９０に働く力は、突起９４の変形にほとんど消費されない。これらの突起９４は、地面に容易に突き刺さる。この突き刺さりにより、アウトソール９０と地面とのスリップが抑制される。インサイドゾーンＺｉに存在する突起（９４ａ、９４ｂ、９４ｃ、９４ｄ及び９４ｅ）は、主として、トップ位置での防滑性能に寄与する。センターゾーンＺｃに存在する突起（９４ｆ、９４ｇ及び９４ｈ）は、主として、ダウンスイングでの防滑性能に寄与する。アウトサイドゾーンＺｏに存在する突起（９４ｉ、９４ｊ及び９４ｋ）は、主として、インパクトでの防滑性能に寄与する。この軸足用靴８６は、防滑性能に優れる。
【０１１０】
インサイドゾーンＺｉに存在し、かつ内角αが９０°以上である全ての突起９４に関し、内角αが測定される。これら内角αが平均され、平均値Ａｉが得られる。防滑性能の観点から、平均値Ａｉは９０°以上１２０°以下が好ましい。平均値Ａｉは９５°以上がより好ましく、１００°以上が特に好ましい。平均値Ａｉは１１５°以下がより好ましく、１１０°以下が特に好ましい。
【０１１１】
インサイドゾーンＺｉに存在する突起９４の総数Ｎ１に対する、インサイドゾーンＺｉに存在しかつ内角αが９０°以上である突起９４の数Ｎ２の比（Ｎ２／Ｎ１）は、０．５以上が好ましく、０．７以上がより好ましく、０．９以上が特に好ましい。理想的には、比（Ｎ２／Ｎ１）は１．０である。総数Ｎ１は２以上が好ましく、３以上が特に好ましい。
【０１１２】
センターゾーンＺｃに存在し、かつ内角αが９０°以上である全ての突起９４に関し、内角αが測定される。これら内角αが平均され、平均値Ａｃが得られる。防滑性能の観点から、平均値Ａｃは１００°以上１３０°以下が好ましい。平均値Ａｃは１０５°以上がより好ましく、１１０°以上が特に好ましい。平均値Ａｃは１２５°以下がより好ましく、１２０°以下が特に好ましい。
【０１１３】
センターゾーンＺｃに存在する突起９４の総数Ｎ３に対する、センターゾーンＺｃに存在しかつ内角αが９０°以上である突起９４の数Ｎ４の比（Ｎ４／Ｎ３）は、０．５以上が好ましく、０．７以上がより好ましく、０．９以上が特に好ましい。理想的には、比（Ｎ４／Ｎ３）は１．０である。総数Ｎ３は２以上が好ましく、３以上が特に好ましい。
【０１１４】
アウトサイドゾーンＺｏに存在し、かつ内角αが９０°以上である全ての突起９４に関し、内角αが測定される。これら内角αが平均され、平均値Ａｏが得られる。防滑性能の観点から、平均値Ａｏは９０°以上１２０°以下が好ましい。平均値Ａｏは９５°以上がより好ましく、１００°以上が特に好ましい。平均値Ａｏは１１５°以下がより好ましく、１１０°以下が特に好ましい。
【０１１５】
アウトサイドゾーンＺｏに存在する突起９４の総数Ｎ５に対する、アウトサイドゾーンＺｏに存在しかつ内角αが９０°以上である突起９４の数Ｎ６の比（Ｎ６／Ｎ５）は、０．５以上が好ましく、０．７以上がより好ましく、０．９以上が特に好ましい。理想的には、比（Ｎ６／Ｎ５）は１．０である。総数Ｎ５は２以上が好ましく、３以上が特に好ましい。
【０１１６】
トップ位置からインパクトまでの防滑性能の観点から、差（Ａｃ −Ａｉ）及び差（Ａｃ − Ａｏ）は５°以上が好ましく、１０°以上が特に好ましい。差（Ａｃ −Ａｉ）及び差（Ａｃ − Ａｏ）は、３５以下が好ましい。
【０１１７】
図１５には、蹴足用靴８８のアウトソール９８の底面が示されている。このアウトソール９８の材質は、図２に示されたアウトソール１４の材質と同等である。図示されていないが、蹴足用靴８８はアッパー、インソール及びミッドソールを備えている。アッパー、インソール及びミッドソールの材質は、それぞれ、図１に示された蹴足用靴８８のアッパー６、インソール１０及びミッドソール１２の材質と同等である。
【０１１８】
このアウトソール９８は、ベース１００と多数の突起１０２を備えている。それぞれの突起１０２は、ベース１００から突出している。この突起１０２は、蹴足用靴８８の防滑性能に寄与する。防滑性能の観点から、突起１０２の高さは２ｍｍ以上が好ましく、４ｍｍ以上が特に好ましい。突起１０２の剛性の観点から、突起１０２の高さは１５ｍｍ以下が好ましく、１０ｍｍ以下が特に好ましい。防滑性能の観点から、突起１０２とこれに隣接する他の突起１０２の間の距離は、５ｍｍ以上が好ましい。
【０１１９】
図１５には、図２と同様に、最長線ＭＬ、インサイド基準線Ｓｉ、アウトサイド基準線Ｓｏ、第一区画線Ｓ１、第二区画線Ｓ２、第三区画線Ｓ３及び第四区画線Ｓ４が示されている。図１５にはさらに、インサイドゾーンＺｉ、センターゾーンＺｃ及びアウトサイドゾーンＺｏが示されている。インサイドゾーンＺｉは、インサイド基準線Ｓｉ、第一区画線Ｓ１、第三区画線Ｓ３及び第四区画線Ｓ４に囲まれている。センターゾーンＺｃは、第一区画線Ｓ１、第二区画線Ｓ２、第三区画線Ｓ３及び第四区画線Ｓ４に囲まれている。アウトサイドゾーンＺｏは、第二区画線Ｓ２、アウトサイド基準線Ｓｏ、第三区画線Ｓ３及び第四区画線Ｓ４に囲まれている。
【０１２０】
図１６には、符号１０２ａから１０２ｋにより、突起が示されている。これらの突起１０２は、踵側に凸な曲線に沿って配置されている。突起（１０２ａ、１０２ｂ及び１０２ｃ）は、アウトサイドゾーンＺｏに存在している。突起（１０２ｄ、１０２ｅ、１０２ｆ及び１０２ｇ）は、センターゾーンＺｃに存在している。突起（１０２ｈ、１０２ｉ、１０２ｊ及び１０２ｋ）は、アウトサイドゾーンＺｏに存在している。
【０１２１】
図１７には、突起１０２の断面が示されている。アウトサイドゾーンＺｏに存在する突起（１０２ａ、１０２ｂ及び１０２ｃ）に関しては、最長線ＭＬに対して時計回りに４０°傾斜した線に沿った断面が示されている。センターゾーンＺｃに存在する突起（１０２ｄ、１０２ｅ、１０２ｆ及び１０２ｇ）に関しては、最長線ＭＬに平行な線に沿った断面が示されている。インサイドゾーンＺｉに存在する突起（１０２ｈ、１０２ｉ、１０２ｊ及び１０２ｋ）に関しては、最長線ＭＬに対して反時計回りに４０°傾斜した線に沿った断面が示されている。
【０１２２】
図１７から明らかなように、踵側壁１０４の内角βは、突起１０２ａから突起１０２ｆまでの間で、徐々に大きくなっている。この内角βは、突起１０２ｆから突起１０２ｋまでの間で、徐々に小さくなっている。センターゾーンＺｃにある突起１０２ｆは、最大の内角βを有する。これらの突起１０２は、スイング中に座屈しにくい。アウトソール９８に働く力は、突起１０２の変形にほとんど消費されない。これらの突起１０２は、地面に容易に突き刺さる。この突き刺さりにより、アウトソール９８と地面とのスリップが抑制される。アウトサイドゾーンＺｏに存在する突起（１０２ａ、１０２ｂ及び１０２ｃ）は、主として、トップ位置での防滑性能に寄与する。センターゾーンＺｃに存在する突起（１０２ｄ、１０２ｅ、１０２ｆ及び１０２ｇ）は、主として、ダウンスイングでの防滑性能に寄与する。インサイドゾーンＺｉに存在する突起（１０２ｈ、１０２ｉ、１０２ｊ及び１０２ｋ）は、主として、インパクトでの防滑性能に寄与する。この蹴足用靴８８は、防滑性能に優れる。
【０１２３】
アウトサイドゾーンＺｏに存在し、かつ内角βが９０°以上である全ての突起１０２に関し、内角βが測定される。これら内角βが平均され、平均値Ｂｏが得られる。防滑性能の観点から、平均値Ｂｏは９０°以上１２０°以下が好ましい。平均値Ｂｏは９５°以上がより好ましく、１００°以上が特に好ましい。平均値Ｂｏは１１５°以下がより好ましく、１１０°以下が特に好ましい。
【０１２４】
アウトサイドゾーンＺｏに存在する突起１０２の総数Ｎ７に対する、アウトサイドゾーンＺｏに存在しかつ内角βが９０°以上である突起１０２の数Ｎ８の比（Ｎ８／Ｎ７）は、０．５以上が好ましく、０．７以上がより好ましく、０．９以上が特に好ましい。理想的には、比（Ｎ８／Ｎ７）は１．０である。総数Ｎ７は２以上が好ましく、３以上が特に好ましい。
【０１２５】
センターゾーンＺｃに存在し、かつ内角βが９０°以上である全ての突起１０２に関し、内角βが測定される。これら内角βが平均され、平均値Ｂｃが得られる。防滑性能の観点から、平均値Ｂｃは１００°以上１３０°以下が好ましい。平均値Ｂｃは１０５°以上がより好ましく、１１０°以上が特に好ましい。平均値Ｂｃは１２５°以下がより好ましく、１２０°以下が特に好ましい。
【０１２６】
センターゾーンＺｃに存在する突起１０２の総数Ｎ９に対する、センターゾーンＺｃに存在しかつ内角βが９０°以上である突起１０２の数Ｎ１０の比（Ｎ１０／Ｎ９）は、０．５以上が好ましく、０．７以上がより好ましく、０．９以上が特に好ましい。理想的には、比（Ｎ１０／Ｎ９）は１．０である。総数Ｎ９は２以上が好ましく、３以上が特に好ましい。
【０１２７】
インサイドゾーンＺｉに存在し、かつ内角βが９０°以上である全ての突起１０２に関し、内角βが測定される。これら内角βが平均され、平均値Ｂｉが得られる。防滑性能の観点から、平均値Ｂｉは９０°以上１２０°以下が好ましい。平均値Ｂｉは９５°以上がより好ましく、１００°以上が特に好ましい。平均値Ｂｉは１１５°以下がより好ましく、１１０°以下が特に好ましい。
【０１２８】
インサイドゾーンＺｉに存在する突起１０２の総数Ｎ１１に対する、インサイドゾーンＺｉに存在しかつ内角βが９０°以上である突起１０２の数Ｎ１２の比（Ｎ１２／Ｎ１１）は、０．５以上が好ましく、０．７以上がより好ましく、０．９以上が特に好ましい。理想的には、比（Ｎ１２／Ｎ１１）は１．０である。総数Ｎ１１は２以上が好ましく、３以上が特に好ましい。
【０１２９】
トップ位置からインパクトまでの防滑性能の観点から、差（Ｂｃ −Ｂｏ）及び差（Ｂｃ − Ｂｉ）は５°以上が好ましく、１０°以上が特に好ましい。差（Ｂｃ −Ｂｏ）及び差（Ｂｃ − Ｂｉ）は、３５°以下が好ましい。
【０１３０】
図１８は、本発明のさらに他の実施形態に係るゴルフシューズの左足用靴１０６の一部が示された底面図である。図１８には、左足用靴１０６のアウトソール１０８の底面が示されている。このアウトソール１０８の材質は、図２に示されたアウトソール１４の材質と同等である。図示されていないが、この左足用靴１０６はアッパー、インソール及びミッドソールを備えている。アッパー、インソール及びミッドソールの材質は、それぞれ、図１に示された軸足用靴８６のアッパー６、インソール１０及びミッドソール１２の材質と同等である。
【０１３１】
このアウトソール１０８は、ベース１１０と多数の突起１１２を備えている。それぞれの突起１１２は、ベース１１０から突出している。この突起１１２は、左足用靴１０６の防滑性能に寄与する。防滑性能の観点から、突起１１２の高さは２ｍｍ以上が好ましく、４ｍｍ以上が特に好ましい。突起１１２の剛性の観点から、突起１１２の高さは１５ｍｍ以下が好ましく、１０ｍｍ以下が特に好ましい。防滑性能の観点から、突起１１２とこれに隣接する他の突起１１２の間の距離は、５ｍｍ以上が好ましい。
【０１３２】
図１８にはインサイドゾーンＺｉ、センターゾーンＺｃ及びアウトサイドゾーンＺｏが示されている。これらのゾーンは、図２に示された靴のゾーンと同様の手法で区画される。インサイドゾーンＺｉは、インサイド基準線Ｓｉ（図２参照）、第一区画線Ｓ１、第三区画線Ｓ３及び第四区画線Ｓ４に囲まれている。センターゾーンＺｃは、第一区画線Ｓ１、第二区画線Ｓ２、第三区画線Ｓ３及び第四区画線Ｓ４に囲まれている。アウトサイドゾーンＺｏは、第二区画線Ｓ２、アウトサイド基準線Ｓｏ、第三区画線Ｓ３及び第四区画線Ｓ４に囲まれている。
【０１３３】
この左足用靴１０６が右利きゴルファーに着用された場合、この左足用靴１０６は軸足用靴である。この左足用靴１０６が左利きゴルファーに着用された場合、この左足用靴１０６は蹴足用靴である。図示されていないが、右足用靴は、左足用靴１０６の形状が反転した形状を有する。この右足用靴が右利きゴルファーに着用された場合、この右足用靴は蹴足用靴である。この右足用靴が左利きゴルファーに着用された場合、この右足用靴は軸足用靴である。
【０１３４】
図１８には、６つのベクトルが示されている。各ベクトルの詳細は、以下の通りである。
ベクトルＴｐ：右利きゴルファーに着用された場合のトップ位置での力
ベクトルＤｐ：右利きゴルファーに着用された場合のダウンスイングでの力
ベクトルＩｐ：右利きゴルファーに着用された場合のインパクトでの力
ベクトルＴｋ：左利きゴルファーに着用された場合のトップ位置での力
ベクトルＤｋ：左利きゴルファーに着用された場合のダウンスイングでの力
ベクトルＩｋ：左利きゴルファーに着用された場合のインパクトでの力
それぞれのベクトルは、Ｚ成分も有している。
【０１３５】
図１９には、インサイドゾーンＺｉに存在する突起１１２ａの断面が示されている。図１９（ａ）におけるＢ−Ｂ線は、最長線ＭＬ（図２参照）に対して反時計回りに４０°傾斜している。図１９（ａ）におけるＣ−Ｃ線は、最長線ＭＬに対して時計回りに４０°傾斜している。この突起１１２ａは、接地面１１４、爪先側壁１１６及び踵側壁１１８を備えている。
【０１３６】
図１９（ｂ）において矢印Ｔｐで示されているのは、左足用靴１０６が右利きゴルファーに着用されたときのトップ位置での力のベクトルである。多数のゴルファーについての測定から得られた、水平方向に対するベクトルＴｐの傾斜角度の平均値は、１０５°である。
【０１３７】
爪先側壁１１６は、爪先側内角αｉを有する。爪先側壁１１６の延在方向とベクトルＴｐの方向とがほぼ一致するように、内角αｉが設定される。ベクトルＴｐがＹ方向において正の成分を有するので、内角αｉは９０°よりも大きい。前述の通り、水平方向に対するベクトルＴｐの傾斜角度の平均値が１０５°なので、内角αｉは、理想的には１０５°である。
【０１３８】
爪先側壁１１６の延在方向がベクトルＴｐの方向とほぼ一致する突起１１２ａは、トップ位置において、座屈しにくい。アウトソール１０８に働く力は、突起１１２ａの変形にほとんど消費されない。この力により、突起１１２ａが地面に突き刺さる。この突き刺さりにより、トップ位置でのアウトソール１０８と地面とのスリップが抑制される。
【０１３９】
インサイドゾーンＺｉに存在し、かつ内角αｉが９０°以上である全ての突起１１２に関し、内角αｉが測定される。これら内角αｉが平均され、平均値Ａｉが得られる。右利きゴルファーに着用されたときの防滑性能の観点から、平均値Ａｉは９０°以上１２０°以下が好ましい。平均値Ａｉは９５°以上がより好ましく、１００°以上が特に好ましい。平均値Ａｉは１１５°以下がより好ましく、１１０°以下が特に好ましい。
【０１４０】
図１９（ｃ）において矢印Ｉｋで示されているのは、左足用靴１０６が左利きゴルファーに着用されたときのインパクトでの力のベクトルである。多数のゴルファーについての測定から得られた、水平方向に対するベクトルＩｋの傾斜角度の平均値は、１０５°である。
【０１４１】
踵側壁１１８は、踵側内角βｉを有する。踵側壁１１８の延在方向とベクトルＩｋの方向とがほぼ一致するように、内角βｉが設定される。ベクトルＩｋがＹ方向において正の成分を有するので、内角βｉは９０°よりも大きい。前述の通り、水平方向に対するベクトルＩｋの傾斜角度の平均値が１０５°なので、内角βｉは、理想的には１０５°である。
【０１４２】
踵側壁１１８の延在方向がベクトルＩｋの方向とほぼ一致する突起１１２ａは、インパクトにおいて、座屈しにくい。アウトソール１０８に働く力は、突起１１２ａの変形にほとんど消費されない。この力により、突起１１２ａが地面に突き刺さる。この突き刺さりにより、インパクトでのアウトソール１０８と地面とのスリップが抑制される。
【０１４３】
インサイドゾーンＺｉに存在し、かつ内角βｉが９０°以上である全ての突起１１２に関し、内角βｉが測定される。これら内角βｉが平均され、平均値Ｂｉが得られる。左利きゴルファーに着用されたときの防滑性能の観点から、平均値Ｂｉは９０°以上１２０°以下が好ましい。平均値Ｂｉは９５°以上がより好ましく、１００°以上が特に好ましい。平均値Ｂｉは１１５°以下がより好ましく、１１０°以下が特に好ましい。
【０１４４】
図２０には、センターゾーンＺｃに存在する突起１１２ｂの断面が示されている。図２０（ａ）におけるＢ−Ｂ線は、最長線ＭＬと平行である。この突起１１２ｂは、接地面１２０、爪先側壁１２２及び踵側壁１２４を備えている。
【０１４５】
図２０（ｂ）において矢印Ｄｐで示されているのは、左足用靴１０６が右利きゴルファーに着用されたときのダウンスイングでの力のベクトルである。多数のゴルファーについての測定から得られた、水平方向に対するベクトルＤｐの傾斜角度の平均値は、１１５°である。
【０１４６】
爪先側壁１２２は、爪先側内角αｃを有する。爪先側壁１２２の延在方向とベクトルＤｐの方向とがほぼ一致するように、内角αｃが設定される。ベクトルＤｐがＹ方向において正の成分を有するので、内角αｃは９０°よりも大きい。前述の通り、水平方向に対するベクトルＤｐの傾斜角度の平均値が１１５°なので、内角αｃは、理想的には１１５°である。
【０１４７】
爪先側壁１２２の延在方向がベクトルＤｐの方向とほぼ一致する突起１１２ｂは、ダウンスイングにおいて、座屈しにくい。アウトソール１０８に働く力は、突起１１２ｂの変形にほとんど消費されない。この力により、突起１１２ｂが地面に突き刺さる。この突き刺さりにより、ダウンスイングでのアウトソール１０８と地面とのスリップが抑制される。
【０１４８】
センターゾーンＺｃに存在し、かつ内角αｃが９０°以上である全ての突起１１２に関し、内角αｃが測定される。これら内角αｃが平均され、平均値Ａｃが得られる。右利きゴルファーに着用されたときの防滑性能の観点から、平均値Ａｃは１００°以上１３０°以下が好ましい。平均値Ａｃは１０５°以上がより好ましく、１１０°以上が特に好ましい。平均値Ａｃは１２５°以下がより好ましく、１２０°以下が特に好ましい。
【０１４９】
図２０（ｂ）において矢印Ｄｋで示されているのは、左足用靴１０６が左利きゴルファーに着用されたときのダウンスイングでの力のベクトルである。多数のゴルファーについての測定から得られた、水平方向に対するベクトルＤｋの傾斜角度の平均値は、１１５°である。
【０１５０】
踵側壁１２４は、踵側内角βｃを有する。踵側壁１２４の延在方向とベクトルＤｋの方向とがほぼ一致するように、内角βｃが設定される。ベクトルＤｋがＹ方向において正の成分を有するので、内角βｃは９０°よりも大きい。前述の通り、水平方向に対するベクトルＤｋの傾斜角度の平均値が１１５°なので、内角βｃは、理想的には１１５°である。
【０１５１】
踵側壁１２４の延在方向がベクトルＤｋの方向とほぼ一致する突起１１２ｂは、ダウンスイングにおいて、座屈しにくい。アウトソール１０８に働く力は、突起１１２ｂの変形にほとんど消費されない。この力により、突起１１２ｂが地面に突き刺さる。この突き刺さりにより、ダウンスイングでのアウトソール１０８と地面とのスリップが抑制される。
【０１５２】
センターゾーンＺｃに存在し、かつ内角βｃが９０°以上である全ての突起１１２に関し、内角βｃが測定される。これら内角βｃが平均され、平均値Ｂｃが得られる。左利きゴルファーに着用されたときの防滑性能の観点から、平均値Ｂｃは１００°以上１１０°以下が好ましい。平均値Ｂｃは１０５°以上がより好ましく、１１０°以上が特に好ましい。平均値Ｂｃは１２５°以下がより好ましく、１２０°以下が特に好ましい。
【０１５３】
図２１には、アウトサイドゾーンＺｏに存在する突起１１２ｃの断面が示されている。図２１（ａ）におけるＢ−Ｂ線は、最長線ＭＬ（図２参照）に対して時計回りに４０°傾斜している。図２１（ａ）におけるＣ−Ｃ線は、最長線ＭＬに対して反時計回りに４０°傾斜している。この突起１１２ｃは、接地面１２６、爪先側壁１２８及び踵側壁１３０を備えている。
【０１５４】
図２１（ｂ）において矢印Ｉｐで示されているのは、左足用靴１０６が右利きゴルファーに着用されたときのインパクトでの力のベクトルである。多数のゴルファーについての測定から得られた、水平方向に対するベクトルＩｐの傾斜角度の平均値は、１０５°である。
【０１５５】
爪先側壁１２８は、爪先側内角αｏを有する。爪先側壁１２８の延在方向とベクトルＩｐの方向とがほぼ一致するように、内角αｏが設定される。ベクトルＩｐがＹ方向において正の成分を有するので、内角αｏは９０°よりも大きい。前述の通り、水平方向に対するベクトルＩｐの傾斜角度の平均値が１０５°なので、内角αｏは、理想的には１０５°である。
【０１５６】
爪先側壁１２８の延在方向がベクトルＩｐの方向とほぼ一致する突起１１２ｃは、インパクトにおいて、座屈しにくい。アウトソール１０８に働く力は、突起１１２ｃの変形にほとんど消費されない。この力により、突起１１２ｃが地面に突き刺さる。この突き刺さりにより、インパクトでのアウトソール１０８と地面とのスリップが抑制される。
【０１５７】
アウトサイドゾーンＺｏに存在し、かつ内角αｏが９０°以上である全ての突起１１２に関し、内角αｏが測定される。これら内角αｏが平均され、平均値Ａｏが得られる。右利きゴルファーに着用されたときの防滑性能の観点から、平均値Ａｏは９０°以上１２０°以下が好ましい。平均値Ａｏは９５°以上がより好ましく、１００°以上が特に好ましい。平均値Ａｏは１１５°以下がより好ましく、１１０°以下が特に好ましい。
【０１５８】
図２１（ｃ）において矢印Ｔｋで示されているのは、左足用靴１０６が左利きゴルファーに着用されたときのトップ位置での力のベクトルである。多数のゴルファーについての測定から得られた、水平方向に対するベクトルＴｋの傾斜角度の平均値は、１０５°である。
【０１５９】
踵側壁１３０は、踵側内角βｏを有する。踵側壁１３０の延在方向とベクトルＴｋの方向とがほぼ一致するように、内角βｏが設定される。ベクトルＴｋがＹ方向において正の成分を有するので、内角βｏは９０°よりも大きい。前述の通り、水平方向に対するベクトルＴｋの傾斜角度の平均値が１０５°なので、内角βｏは、理想的には１０５°である。
【０１６０】
踵側壁１３０の延在方向がベクトルＴｋの方向とほぼ一致する突起１１２ｃは、トップ位置において、座屈しにくい。アウトソール１０８に働く力は、突起１１２ｃの変形にほとんど消費されない。この力により、突起１１２ｃが地面に突き刺さる。この突き刺さりにより、トップ位置でのアウトソール１０８と地面とのスリップが抑制される。
【０１６１】
アウトサイドゾーンＺｏに存在し、かつ内角βｏが９０°以上である全ての突起１１２に関し、内角βｏが測定される。これら内角βｏが平均され、平均値Ｂｏが得られる。左利きゴルファーに着用されたときの防滑性能の観点から、平均値Ｂｏは９０°以上１２０°以下が好ましい。平均値Ｂｏは９５°以上がより好ましく、１００°以上が特に好ましい。平均値Ｂｏは１１５°以下がより好ましく、１１０°以下が特に好ましい。
【０１６２】
トップ位置からインパクトまでの防滑性能の観点から、差（Ａｃ −Ａｏ）及び差（Ａｃ − Ａｉ）は５°以上が好ましく、１０°以上が特に好ましい。差（Ａｃ −Ａｏ）及び差（Ａｃ − Ａｉ）は、３５°以下が好ましい。トップ位置からインパクトまでの防滑性能の観点から、差（Ｂｃ −Ｂｏ）及び差（Ｂｃ − Ｂｉ）は５°以上が好ましく、１０°以上が特に好ましい。差（Ｂｃ −Ｂｏ）及び差（Ｂｃ − Ｂｉ）は、３５°以下が好ましい。
【実施例】
【０１６３】
以下、実施例によって本発明の効果が明らかにされるが、この実施例の記載に基づいて本発明が限定的に解釈されるべきではない。
【０１６４】
［実施例１］
モールドにゴム組成物を投入し、加圧しかつ加熱して、アウトソールを得た。このアウトソールに、アッパー、ミッドソール及びインソールをアッセンブリーして、図１から１１に示されたゴルフシューズを製造した。内角の平均値が、下記の表１に示されている。
【０１６５】
［実施例２−４及び比較例１］
他のモールドを用い、内角の平均値を下記の表１に示される通りとした他は実施例１と同様にして、実施例２−４及び比較例１のゴルフシューズを得た。
【０１６６】
［実施例５］
モールドにゴム組成物を投入し、加圧しかつ加熱して、アウトソールを得た。このアウトソールに、アッパー、ミッドソール及びインソールをアッセンブリーして、図１８に示されたゴルフシューズを製造した。内角の平均値が、下記の表１に示されている。
【０１６７】
［実施例６及び比較例２］
他のモールドを用い内角の平均値を下記の表１に示される通りとした他は実施例５と同様にして、実施例６及び比較例２のゴルフシューズを得た。
【０１６８】
［評価］
ゴルフシューズをゴルファーに着用させ、ゴルフ場のティグラウンドで、ドライバーにてゴルフボールを打撃させた。１０名のゴルファーに、防滑性能及びスイングし易さについて、格付けさせた。この平均値が、下記の表１に示されている。この値が大きいほど好ましい。
【０１６９】
【表１】
2011072330.tif 000003
【０１７０】
表１に示されるように、実施例のゴルフシューズは防滑性能に優れている。この評価結果から、本発明の優位性は明らかである。
【産業上の利用可能性】
【０１７１】
本発明に係るゴルフシューズは、ゴルフ場でのプレーのときに着用されうる。このゴルフシューズは、ドライビングレンジでの練習のときにも着用されうる。
【符号の説明】
【０１７２】
２、８６・・・軸足用靴
４、８８・・・蹴足用靴
１４、５０、９０、９８、１０８・・・アウトソール
１８、５４、９４、１１２・・・突起
２２、３２、４２、５８、６８、７８、９６、１１６、１２２、１２８・・・爪先側壁
２４、３４、４４、６０、７０、８０、１０４、１１８、１２４、１３０・・・踵側壁
１０６・・・左足用靴
ＭＬ・・・最長線
Ｚｉ・・・インサイドゾーン
Ｚｃ・・・センターゾーン
Ｚｏ・・・アウトサイドゾーン
【図１】
2011072330.tif 000004
【図２】
2011072330.tif 000005
【図３】
2011072330.tif 000006
【図４】
2011072330.tif 000007
【図５】
2011072330.tif 000008
【図６】
2011072330.tif 000009
【図７】
2011072330.tif 000010
【図８】
2011072330.tif 000011
【図９】
2011072330.tif 000012
【図１０】
2011072330.tif 000013
【図１１】
2011072330.tif 000014
【図１２】
2011072330.tif 000015
【図１３】
2011072330.tif 000016
【図１４】
2011072330.tif 000017
【図１５】
2011072330.tif 000018
【図１６】
2011072330.tif 000019
【図１７】
2011072330.tif 000020
【図１８】
2011072330.tif 000021
【図１９】
2011072330.tif 000022
【図２０】
2011072330.tif 000023
【図２１】
2011072330.tif 000024